(57)【要約】【課題】構造が簡単で、設置し易く、荒天時にも仕掛筒内に土砂等が侵入し難く、管理の容易なものにする。【解決手段】仕掛筒２の内部に、その筒内に嵌った獣足の荷重が加わる獣足検出線４を複数本、隣接する線同士離して掛け渡し、その各獣足検出線４の先端を仕掛筒２の前側壁に夫々固定し、更に獣足検出線４の後端部を後側壁に設けた対応する貫通穴５を夫々挿通させて外部に引き出し、その各後端付近をまとめて結合し、その後端結合部６にくくりわな本体の先端部に設けたくくり部のくくり動作開始用トリガ部材７を備え付ける。【選択図】図１
2008173016.tif 000002
【特許請求の範囲】
【請求項１】
獣の踏み込み足が入る上開口を有し、地中に埋め込んで仕掛ける仕掛筒を用いた獣足くくりわな用仕掛筒装置であって、上記仕掛筒の内部に、その筒内に嵌った獣足の荷重が加わる獣足検出線を複数本、隣接する線同士を離して掛け渡し、その各獣足検出線の先端を仕掛筒の前側壁に夫々固定し、更に獣足検出線の後端部を仕掛筒の後側壁に設けた対応する貫通穴を夫々挿通させて外部に引き出し、その各後端付近をまとめて結合し、その後端結合部にくくりわな本体の先端部に設けたくくり部のくくり動作開始用トリガ部材を備え付けることを特徴とする獣足くくりわな用仕掛筒装置。
【請求項２】
仕掛筒の後壁外面に、真後ろ斜め上方に向って突出し、その先端の高さを仕掛筒の上縁の高さとほぼ等しくした突出部と、その突出部の先端に、わな設置時に各獣足検出線の後端結合部寄り部分とくくりわな本体の一部を乗せるわな設置用受け部とを有するわな設置用支持部材を備え付けることを特徴とする請求項１記載の獣足くくりわな用仕掛筒装置。
【請求項３】
仕掛筒の内径より少し小さな外径を有する円板体の中央部を除く外周部を放射状に多数分割し、その各分割箇所を夫々スリット状にして多数個の分割部を形成し、その円形に並ぶ分割部に、わな設置時に仕掛筒の上縁を越えて外方に突出し、くくりわな本体の先端部に設けた輪状のくくり部を乗せるくくり部受け突部を複数個配設することを特徴とする請求項１又は２記載の獣足くくりわな用仕掛筒装置の筒蓋。
【請求項４】
円板体の中央部に１箇所又は複数個所、水抜き穴を設けることを特徴とする請求項３記載の獣足くくりわな用仕掛筒装置の筒蓋。
【発明の詳細な説明】
【技術分野】
【０００１】
本発明は、山野等に棲息する猪、鹿、熊等の獣類の捕獲に使用する獣足くくりわなに関する。
【背景技術】
【０００２】
近年、農山村の高齢化、過疎化が進んで里山が荒廃し、耕作放棄地が増えると共に、人里に猪、鹿、熊等の獣類が以前より多く現れるようになって、農作物を食い荒らし、人に危害を加えるばかりでなく、人命が奪われる場合も多くなってきた。このような獣類を捕獲するわなとして、従来から獣道にくくりわなを仕掛け、獣足を輪状のくくり部によりくくって捕まえている。その際には、くくりわなを設置するため、例えば獣道に獣の踏み込み足が入る深さの穴を掘り、その穴の内周壁に短い小枝を数本差し込んで横に渡し、その横木上に獣足検出線を数本拡げて乗せ、その各先端を穴の周囲上に差し込んだ枯れ枝や草等に結びつけた後、その穴の周囲上にくくりわな本体の先端部に設けた輪状のくくり部を乗せて、その上を落ち葉や土等で被ってカムフラージュして用いている。
【０００３】
そして、このような獣足検出線の後端はくくりわな本体の安全装置に備えたロック・解除用の安全ピンを止める止め輪に結び付けておく。すると、穴内に獣の踏み込み足が入って、その獣足検出線に獣足の荷重が加わった時、線が穴の底に落ち込む等により緊張状態となり、その線の後端が前方へと引かれるので、止め輪が前方に移動する。それ故、止め輪に嵌っていた安全ピンが抜けて安全装置のロック状態が解除され、圧縮状態にあったコイルスプリングが解放さるので、そのばね力を利用してくくり部の輪を引き締めることにより、獣足をくくって捕獲できる。
【０００４】
しかし、獣道に単に穴を掘って、そこにくくりわなを設置するだけでは、降雨、降雪等によって穴の周囲壁が崩れる等して、その穴内が土砂等で埋まり易く、特に荒天後の見回り管理が必要になる。そこで、地中に埋め込んで仕掛ける筒を用い、その仕掛筒内に、獣の踏み込み足により荷重が加わった時に下方移動可能な網等の平板を備え付けたくくりわなが提示されている。
【特許文献１】実開昭５３−９３４６６
【特許文献２】特開２００４−５７１７４
【発明の開示】
【発明が解決しようとする課題】
【０００５】
このような特許文献１に示されたくくりわなは、確かに穴内に踏み込んだ獣足の荷重検出用に数本の線を用いるだけでよく、構造が簡単である。しかし、それ等の獣足検出線を現場で設置するための負担が大きく問題がある。しかも、特許文献２に示すような仕掛筒を用いていないので、特に荒天後の見回り管理を必要とするため負担が大きく問題がある。
【０００６】
本発明は、このような従来の問題点に着目してなされたものであり、構造が簡単で、設置し易く、荒天時にも仕掛筒内に土砂等が侵入し難くて、管理の容易な獣足くくりわな用仕掛筒装置並びにその筒蓋を提供することを目的とする。
【課題を解決するための手段】
【０００７】
上記目的を達成するために、本発明による獣足くくりわな用仕掛筒装置は、獣の踏み込み足が入る上開口を有し、地中に埋め込んで仕掛ける仕掛筒を用いる。そして、上記仕掛筒の内部に、その筒内に嵌った獣足の荷重が加わる複数本の獣足検出線を、隣接する線同士所定の間隔を開けて掛け渡し、その各獣足検出線の先端を仕掛筒の前側壁に夫々固定し、更に獣足検出線の後端部を仕掛筒の後側壁に設けた対応する貫通穴を夫々挿通させて外部に引き出し、その各後端付近をまとめて結合し、その後端結合部にくくりわな本体の先端部に設けたくくり部のくくり動作開始用トリガ部材を備え付ける。
【０００８】
又、上記仕掛筒の後壁外面に、真後ろ斜め上方に向って突出し、その先端の高さを仕掛筒の上縁の高さとほぼ等しくした突出部と、その突出部の先端に、わな設置時に各獣足検出線の後端結合部寄り部分とくくりわな本体の一部を乗せるわな設置用受け部とを有するわな設置用支持部材を備え付けると好ましくなる。
【０００９】
又、本発明による獣足くくりわな用仕掛筒装置の筒蓋は、上記仕掛筒の内径より少し小さな外径を有する円板体の中央部を除く外周部を放射状に多数分割し、その各分割箇所を夫々スリット状にして多数個の分割部を形成し、その円形に並ぶ分割部に、わな設置時に仕掛筒の上縁を越えて外方に突出し、くくりわな本体の先端部に設けた輪状のくくり部を乗せるくくり部受け突部を複数個配設する。
そして、上記円板体の中央部に１箇所又は複数個所、水抜き穴を設けると好ましくなる。
【発明の効果】
【００１０】
本発明の獣足くくりわな用仕掛筒装置は、仕掛筒を用い、その内部に複数本の獣足検出線を掛け渡し、その各獣足検出線の後端部を仕掛筒の後側壁に設けた対応する貫通穴を夫々挿通させて外部に引き出し、その各後端付近をまとめて結合し、その後端結合部にくくり動作開始用トリガ部材を備え付けることにより、その装置の構造を簡単にしてユニット化できる。そして、使用時には現場において穴を掘り、その穴内に仕掛筒を置いた後、後端結合部付近等を持って後方に引くと、一度に全ての獣足検出線を引っ張って仕掛筒内に良好に張り渡すことができる。又、その張り渡し状態を保ちながら、くくり動作開始用トリガ部材をくくりわな本体の所定箇所に結合すればよく、設置作業を簡単に行える。又、仕掛筒に設ける各貫通穴を、挿通する獣足検出線の緊張と弛緩の妨げにならない程度に大きくしても、その各穴を線の太さに合せて小さくすることができ、荒天時に各穴から筒内に土砂等が侵入し難くなって、手入れのための見回り回数を減少させることが可能になって管理し易い。
【００１１】
又、上記仕掛筒の後壁外面に、真後ろ斜め上方に向って突出し、その先端の高さを仕掛筒の上縁の高さとほぼ等しくした突出部と、その突出部の先端に設けたわな設置用受け部とを有するわな設置用支持部材を備え付けることにより、くくりわな設置時に、仕掛筒の上縁付近に配置してくくりわな本体の先端部に設けたくくり部を輪状にし、そのわな設置用受け部上に各獣足検出線の後端結合部寄り部分とくくりわな本体のくくり部より後側の一部を乗せると、くくり動作開始用トリガ部材をくくりわな本体の所定箇所に結合し易く、くくりわなの設置を簡単にかつ良好に行える。
【００１２】
又、本発明の獣足くくりわな用仕掛筒装置の筒蓋は、円板体の外周部を放射状に多数分割し、その各分割箇所を夫々スリット状にして多数個の分割部を形成することにより、それ等の分割箇所に離隔部材を差し込んで、全てのくくり部受け突部付きの分割部の平面と全ての突部のない分割部の平面との間に段差が生じるように偏倚させることができる。このため、わな設置時に仕掛筒に筒蓋を被せて、仕掛筒の上開口を閉鎖できるばかりでなく、全てのくくり部受け突部を仕掛筒の上縁を越えて外側方向に突出し、更に全ての突部のない分割部を上開口から少し内部に嵌めることができる。
【００１３】
それ故、仕掛筒に被せた筒蓋の位置ずれが生じず閉鎖状態が安定し、全てのくくり部受け突部上にくくり部を乗せ輪状に拡げて配置すると、仕掛筒の上開口に対しくくり部を正確に位置決めできる。そして、獣足の荷重が筒蓋に加わった時に、くくり部が乗る受け突部より内側にある付け根側部分の方が速く、中央部やその回りにある複数個の突部のない分割部と共に仕掛筒の内部に落下して行き、その筒蓋の中央部と突部のない分割部とで複数本の獣足検出線を良好に押し下げ、くくりわな本体の安全装置を解除して、くくり動作を開始できる。
【００１４】
又、上記円板体の中央部に１箇所又は複数個所、水抜き穴を設けることにより、降雨、降雪等によってその筒蓋上に溜まる水を仕掛筒内に落下させて、筒蓋のたわみ等の変形を防止できる。
【発明を実施するための最良の形態】
【００１５】
以下、添付の図１〜７を参照して本発明の実施の最良形態を説明する。
図１は本発明を適用した獣足くくりわな用仕掛筒装置の獣足検出線張り渡し状態を示す平面図、図２はその右側面図である。この仕掛筒装置１はくくりわな本体と共に用いて獣足くくりわなを構成する。そして、仕掛筒２として上下開口３（３ａ、３ｂ）を有する円筒、例えば高さが１３．５ｃｍ、内径１５．５ｃｍ、外径１６．５ｃｍの塩化ビニール製円筒を用いる。すると、仕掛筒２の上開口３ａを獣の踏み込み足が入る捕獲用開口として利用できる。
【００１６】
そこで、仕掛筒２の内部に嵌った獣足を検出するため、その筒内に獣足の荷重が加わる獣足検出線４を複数本例えば４本用い、隣接する線４同士を離して掛け渡し、その各獣足検出線４（４ａ、…４ｄ）の先端を仕掛筒２の前側壁に夫々固定し、更に各獣足検出線４の後端部を仕掛筒２の後側壁に設けた対応する貫通穴５（５ａ、…５ｄ）を夫々挿通させて外部に引き出し、その各後端付近をまとめて結合し、その後端結合部６にくくりわな本体の先端部に設けたくくり部のくくり動作開始用トリガ部材７を備え付ける。
【００１７】
その際、獣足検出線４として例えば長さが３０ｃｍで、太さが０．４ｍｍのワイヤーロープを用いる。そして、４本の各獣足検出線４の先端を仕掛筒２の前側壁に夫々固定するため、その前側壁の高さの２分の１の箇所に、先ず各獣足検出線４が通る４個の貫通小孔８（８ａ、…８ｄ）を穿設し、いずれも隣接する孔８同士が６ｃｍ間隔になって、左右に対称となるように２個ずつ分配する。次に、各獣足検出線４の先端部を対応する貫通孔８に挿通して、前側壁より少し外部に突出させ、そこに固定用の抜け止め部材として圧着スリーブ９（９ａ、…９ｄ）を夫々固着する。
【００１８】
又、各獣足検出線４の後端部を仕掛筒２の後側壁を通して夫々外部に引き出すため、その後側壁の高さ２分の１の箇所に、先ず各獣足検出線４が通る４個の貫通小孔５を穿設し、いずれも隣接する孔５同士が１．５ｃｍ間隔になって、左右対称となるように２個ずつ分配する。次に、各獣足検出線４の後端部を対応する貫通孔５に挿通して、外部に引き出す。そこで、これ等の各獣足検出線４の後端付近をまとめて結合する結合用部材として、圧着スリーブ１０を固着し、その後端結合部６の圧着スリーブ１０より後側に輪１１を設ける。すると、その輪１１に長さが例えば１８ｃｍ程の１本の針金の一端部をねじり結合して、くくり動作開始用トリガ部材７として用いることができる。
【００１９】
又、このような仕掛筒２の後壁の外面中央に、わな設置用支持部材１２を備え付ける。その際、わな設置用支持部材１２として例えば大略Ｌ字状に屈曲した針金製の支持本体１３と、その支持本体１３の仕掛筒２の後壁外面に沿う長さ９．５ｃｍの垂直部１４の上端寄り位置に、十文字状に交差して結合する長さ４ｃｍの針金製の回り止め部１５と、その垂直部１４の上端から真後ろ斜め上方に向って突出する傾斜角度の小さな長さ７ｃｍの突出部１６の先端に十文字状に交差して結合する長さ５ｃｍの針金製のわな設置用受け部１７とからなる太さ３．２ｍｍの針金製結合体を用いる。なお、回り止め部１５とわな設置用受け部１７とをいずれも弧状に屈曲させるが、回り止め部１５は仕掛筒２の周囲壁外面の曲率に合せて僅か曲げるのに対し、わな設置用受け部１７は中央を低くして左右両端を少し前上方に向けて曲げる。
【００２０】
そして、仕掛筒２の後壁に対し、Ｌ字状支持本体１３の垂直部１４の下端を輪部付き圧着スリーブ１８、ボルト１９、ナット２０、ワッシャ２１等を用いて固着し、その垂直部１４の上端付近を針金２２を用いて固着する。すると、支持本体１３の先端の高さを仕掛筒２の上縁の高さより少し低く、例えば１ｃｍ程低く保持でき、その先端上にわな設置用受け部１７を乗せて固着できる。なお、仕掛筒２の後壁の上縁中央付近を幅が４ｃｍ、深さが１ｃｍ程の弧状に切り欠いて、くくり動作を円滑に行うための凹所２３を設けておく。
【００２１】
このようにして、仕掛筒装置１を完成すると、装置の構造を簡単にしてユニット化できる。なお、通常は図３に示すように４本の獣足検出線４の後端結合部６寄り部分を、わな設置用受け部１７に乗せて取り扱う。
【００２２】
そこで、仕掛筒２の上開口３ａを閉鎖する筒蓋２４として、図４に示すような仕掛筒２の内径より少し小さな例えば１５ｃｍの外径を有する円板体２５と、その外周に沿って分配し、板面方向に例えば２．５ｃｍ突出して設けた複数個のくくり部受け扇面状突部２６とからなる円形状板体を用いる。そして、その円板体２５の中央部２７を除く外周部を放射状に多数分割する。例えば８等分して、各分割箇所２８(２８ａ、…２８ｈ)を夫々長さ５ｃｍのスリット状にし、８個の扇面状分割部２９(２９ａ、…２９ｈ)を形成する。又、その円形に並ぶ扇面状分割部２９に複数個のくくり部受け扇面状突部を配設する。例えば一つ置きの分割部２９ａ、２９ｃ、２９ｅ、２９ｇの各半外周面に、くくり部受け扇面状突部２６（２６ａ、…２６ｄ）を夫々設ける。又、円板体２５の中央部２７に１箇所又は複数箇所、水抜き穴３０を設ける。例えば中央部２７の中心に１箇所、各分割箇所２８の付け根に１箇所ずつ、直径５ｍｍの貫通穴を夫々設ける。すると、筒蓋２４が完成する。なお、筒蓋２４の材料として厚さ２．５ｍｍのベニヤ板が適する。
【００２３】
このような仕掛筒装置１と筒蓋２４、及びくくりわな本体を用いて、獣類を捕獲する場合、獣道に仕掛筒装置１を設置するための穴３１を掘る。そして、図５に示すように設置穴３１の内部に仕掛筒装置１を入れ、仕掛筒２の上縁が地表面より１〜２ｃｍ程下がるようにして置く。そこで、仕掛筒２に筒蓋２４を被せるため、先ず筒蓋２４の分割箇所２８に離隔部材３２を差し込んで、全てのくくり部受け突部２６を有する分割部２９の平面と全ての突部のない分割部２９の平面との間に段差が生じるように偏倚させる。その際、離隔部材３２として、例えば枯れた小枝等を所定の長さに切断した棒状体を４本用い、その各棒状体３２（３２ａ、…３２ｄ）を図６に示すように１本ずつ、突部のない分割部２９上に夫々乗せ、その両端部をスリット状の分割箇所２８に差し込んで、両側にあるくくり部受け突部２６のある分割部２９の下側に差し込むとよい。
【００２４】
すると、仕掛筒２に筒蓋２４を被せて、その仕掛筒２の上開口３ａを閉鎖できる。しかも、筒蓋２４に設けた全てのくくり部受け突部２６を仕掛筒２の上縁を乗り越えて夫々外側方向に突出し、更に全ての突部のない分割部２９を上開口３ａから少し内部に落として嵌めることができる。それ故、仕掛筒２に被せた筒蓋２４の位置ずれが生じず閉鎖状態が安定し、全てのくくり部受け突部２６の上にくくり部３３を乗せ、円形の輪状に拡げて配置した時、仕掛筒２の上開口３ａに対しくくり部３３を正確に位置決めできる。このようにして、仕掛筒２に筒蓋２４を被せた後、その筒回りに土を入れて設置する。しかし、仕掛筒２の後壁外面に備え付けたわな設置用支持部材１２の付近には土を入れないようにする。
【００２５】
そこで、くくりわな本体３４として、先端部にくくり具３５等を用いて収縮・拡張可能にした輪状のくくり部３３を設け、後端部を立木等への縛り箇所として用いる太い、例えば直径５ｍｍの捕獲用のスチールロープ３６と、その捕獲用ロープ３６が中心を挿通する圧縮コイルスプリング（図示なし）と、その捕獲用ロープ３６が挿通し、圧縮コイルスプリングをロック時に全部、解除時に一部収容する安全装置３７付きの嵌合・分離可能な前後管３８、３９とを組み合せた装置を用いる。なお、前管３８はその前端内部に圧縮コイルスプリングの先端止め部を有し、安全装置３７の解除時にばね力を受けて前方移動しくくり部を収縮すると共に、ばね力に抗して後方移動可能な移動用の管であるのに対し、後管３９はその後端内部に圧縮コイルスプリングの後端止め部を有し、捕獲用ロープ３６に固定した後方止め具（図示なし）によって後方移動できない固定用の管である。
【００２６】
このくくりわな本体３４を設置する場合、先ずくくり部３３をトラックのロープ掛け等の簡単に外れることのない所に掛ける。そして、分離している移動用前管３８を固定用後管３９の方向に引き寄せ、ばね力に抗してコイルスプリングを圧縮して行き、移動用前管３８の後端部付近を固定用後管３９の前端部内に嵌合し、両管３８、３９を組み付ける。そこで、安全装置３７をロック状態にするため、図７に示すように固定用後管３９の前端部に結合した細い後側ワイヤーロープ４０の前端輪４１で回動自在に支持した後端部屈曲の安全ピン４２の平たい後端部４３を、移動用前管３８の前端部に結合した細い前側ワイヤーロープ４４の後端輪４５に入れ、その安全ピン４２の棒状前側部４６を前側ロープ４４と平行にする。次に、先端輪部４７を有し、前側ロープ４４が自在に挿通するピン止め輪部４８に安全ピン４２の前側部４６を挿通して、その先端輪部４７付きピン止め輪部４８を後方に引き寄せ、そのピン止め輪部４８の付近を安全ピン４２が抜けないようにガムテープ等を用いて固着する。すると、安全装置３７がロック状態になる。なお、４９、５０は後側、前側ロープ４０、４４の前端、後端輪４１、４５を夫々形成するための圧着スリーブである。
【００２７】
そこで、捕獲用ロープ３６の後端部を近くにある立木に巻き付け、その後端輪に安全装置３７をロック状態にした一続きの前後管３８、３９を差し通して引き抜き、くくりわな本体３４を固定する。次に、くくり部３３のロープ３６を仕掛筒２の外径より少し大きくなるように拡げ、固定用後管３９の直後に後方止め具を移動して蝶ねじを締めて固定する。その後、仕掛筒２に備え付けたわな設置用支持部材１２の受け部１７に４本の獣足検出線４を乗せ、その後端結合部６の付近等を持って後方に引くと、一度に全ての獣足検出線４を引っ張って仕掛筒２の内部に良好に張り渡すことができる。それ故、張り渡し状態を保ちながら、くくり動作開始用トリガ部材７として用いた針金をくくりわな本体３４の安全装置３７に結合すればよく、設置作業を簡単に行える。
【００２８】
又、わな設置用支持部材１２の受け部１７に移動用前管３８の前端部を乗せ、その前管３８から突出するくくり部３３を筒蓋２４の全てのくくり部受け突部２６上に乗せて円形の輪状に拡げて配置する。このように受け部１７の上に各獣足検出線４の後端結合部６寄り部分とくくりわな本体３４を構成する移動用前管３８の前端部とを乗せると、くくり動作開始用トリガ部材７として用いた針金をくくりわな本体３４の安全装置３７に一層結合し易くなり、獣足くくりわなの設置を簡単にかつ良好に行える。なお、くくり部３３を円形の輪状に拡げて配置する際には、枯れた小枝等を短く折り、必要な本数例えば５本の各小枝５１等を仕掛筒２の外周近傍に分散して地面に立てるとよい。
【００２９】
このようにして、くくり部３３を拡げた後、土や落ち葉等を用いて、筒蓋２４やくくり部３３のロープ３６等が見えないように被う。そこで、ピン止め輪部４８の付近からガムテープをはがし、くくり動作開始用トリガ部材７として用いた針金の先端をピン止め輪部４８の先端輪部４７に通し、安全ピン４２の先端部がピン止め輪部４８の先へ５ｍｍ程出る位置にピン止め輪部４８を移動した後、針金７を折り曲げ、更に一部嵌合した一続きの前後管３８、３９が見えなくなるように落ち葉等で覆う。すると、獣足くくりわなの設置が完了する。
【００３０】
このような獣足くくりわな設置後、降雨や降雪等があっても仕掛筒２の周囲壁が障壁となって内部に土砂等が侵入し難い。又、仕掛筒２に設ける各貫通穴５、８は、挿通する獣足検出線４の緊張と弛緩の妨げにならない程度に大きくしても、その各穴５、８を線の太さに合せて小さくすることができるので、各穴５、８から筒内に土砂等が侵入し難い。しかも、筒蓋２４には多数個の水抜き穴３０を設けているので、当然各穴３０を通して筒内に水が落下し易く、水の重さで筒蓋２４がたわむ等の変形が発生しない。それ故、荒天後の手入れのための見回りを必要とせず、見回り回数を減らすことができて、管理を容易に行える。
【００３１】
獣の踏み込み足が筒蓋２４に乗って、獣足の荷重が筒蓋２４に加わると、４個のくくり部受け突部２６付きの分割部２９ａ、２９ｃ、２９ｅ、２９ｇがいずれも付け根箇所で折れ曲がって板面が夫々傾斜し、そのくくり部３３が乗る各受け突部２６と比べて内側にある各付け根部分が速く、中央部２７やその回りにある突部のない分割部２９ｂ、２９ｄ、２９ｆ、２９ｈと共に仕掛筒２の内部に落下する。それ故、筒蓋２４の中央部２７と突部のない分割部２９ｂ、２９ｄ、２９ｆ、２９ｈとで、仕掛筒２の内部に張り渡されている４本の獣足検出線４を夫々良好に押し下げることができる。なお、各突部２６付きの分割部２９はいずれもその両側にある分割箇所２８をスリット状にして、その付け根に水抜き穴３０を夫々設けてあるので、付け根部分が弱く、その位置で折れ曲がり易い。
【００３２】
このようにして、筒蓋２４により獣足検出線４を押し下げると、それ等の後端結合部６に備え付けたくくり動作開始用トリガ部材７たる針金により安全装置３７のピン止め輪部４８を牽引して前方に移動できる。すると、安全ピン４２が回転してその後端部４３が輪４５から外れ、安全装置３７が解除状態になり、圧縮コイルスプリングのばね力によって移動用前管３８が捕獲用ロープ３６に沿って前方に移動する。このため、移動用前管３８の前端でくくり具３５を押し続けることができ、くくり部３３が急速に収縮する。それ故、踏み込んだ獣の足を素早くくくって捕獲できる。
【図面の簡単な説明】
【００３３】
【図１】本発明を適用した獣足くくりわな用仕掛筒装置の獣足検出線張り渡し状態を示す平面図である。
【図２】同獣足くくりわな用仕掛筒装置の獣足検出線張り渡し状態を示す右側面図である。
【図３】同獣足くくりわな用仕掛筒装置の獣足検出線無拘束状態を示す背面図である。
【００３４】
【図４】同獣足くくりわな用仕掛筒装置に用いる筒蓋の平面図である。
【図５】同獣足くくりわな用仕掛筒装置を設置用穴内に置いた状態を示す縦断面図である。
【図６】同獣足くくりわな設置状態を示す要部の平面図である。
【図７】同獣足くくりわな本体に備え付けた安全装置のロック状態を示す要部の右側面図である。
【符号の説明】
【００３５】
１…仕掛筒装置  ２…仕掛筒  ３…上下開口  ４…獣足検出線  ５、８…貫通小孔  ６…後端結合部  ７…くくり動作開始用トリガ部材  ９…固定用抜け止め部材  １２…わな設置用支持部材  １３…支持本体  １６…突出部  １７…設置用受け部  ２４…筒蓋  ２５…円板体  ２６…くくり部受け突部  ２７…中央部  ２８…分割箇所  ２９…分割部  ３０…水抜き穴  ３１…設置穴  ３２…離隔部材  ３３…くくり部  ３４…くくりわな本体  ３５…くくり部  ３６…捕獲用ロープ  ３７…安全装置  ３８…移動用前管  ３９…固定用後管  ４０…後側ロープ  ４１…前端輪  ４２…安全ピン  ４４…前側ロープ  ４５…後端輪  ４７…先端輪部  ４８…ピン止め輪部
【図１】
2008173016.tif 000003
【図２】
2008173016.tif 000004
【図３】
2008173016.tif 000005
【図４】
2008173016.tif 000006
【図５】
2008173016.tif 000007
【図６】
2008173016.tif 000008
【図７】
2008173016.tif 000009